(57)【要約】【課題】屋上や建物のベランダの床部に敷設され、薄く強度が小さい押えコンクリートの躯体であっても、十分な耐力を有する手摺用支柱を提供する。【解決手段】笠木部材６を躯体３の所定高さに略水平に支持する支柱部材５と、該支柱部材５の途中から分岐して躯体３に斜めに固定される控柱部材８とを備え、支柱部材５と控柱部材８とがトラス構造を形成するようにした。【選択図】  図１
2004225383.tif 000002
【特許請求の範囲】
【請求項１】
笠木部材を躯体の所定高さに略水平に支持する支柱部材と、該支柱部材の途中から分岐して躯体に斜めに固定される控柱部材とを備え、支柱部材と控柱部材とがトラス構造を形成することを特徴とする手摺用支柱。
【請求項２】
請求項１記載の手摺用支柱において、支柱部材は躯体に略垂直に固定された第１ジョイント部材と嵌合して嵌合方向に調整可能に固定され、控柱部材は上端が第２ジョイント部材と嵌合し下端が第３ジョイント部材と嵌合して該第３ジョイント部材が躯体に斜めに固定され第２ジョイント部材が前記支柱部材の途中に斜めに固定されることを特徴とする手摺用支柱。
【発明の詳細な説明】
【０００１】
【発明の属する技術分野】
本発明は、屋上パラペット用、建物のベランダ用の手摺用支柱に関するものである。
【０００２】
【従来の技術】
屋上パラペットや建物のベランダの手摺は支柱により躯体に設置されている。そして、このような支柱は公知の手摺支柱固定金具により施工されていた。（例えば、特許文献１参照）
【０００３】
【特許文献１】
特開２００２−１４６９８６号公報
【０００４】
上記特許文献１（特開２００２−１４６９８６号公報）に記載されている手摺支柱固定金具は、図９に示すように底壁１０２の側辺に支柱１２０の下端を受け入れる固定用側壁１０３を立設し、該側壁１０３の少なくとも一つに支柱１２０の下端を固定する固定ネジ１０８を設ける。底壁１０２の略中央に長円形の貫通長孔１０４を穿設して貫通長孔１０４の上面を平滑にし、また底壁１０２の上面に窪んだ水抜き溝１０５を形成して側壁１０３に穿設した水抜き孔１０６と連通した水抜き構造をアルミ鋳造物として鋳造成形して成る。躯体（屋上パラペットやベランダの立ち上がり壁等のコンクリート体）１２１には、支柱固定位置毎にその上面側から下向き垂直の孔１２２を穿設してある。孔１２２にアンカーボルト１１０を挿入し、接着して躯体１２１に樹立し、このアンカーボルト１１０に貫通長孔１０４を外挿し、アンカーボルト１１０に螺合する固定ナット１１１を締結して躯体に固設し、手摺の支柱１２０下端を挿入して固定ネジ１０８で固着立設するものであり、手摺支柱１２１の樹立に際して熟練を要することなく誰でも簡単に施工することができる。
【０００５】
【発明が解決しようとする課題】
屋上や建物のベランダの底部を形成している躯体は、一般的に防水層の保護の目的で押えコンクリートが使用されており、通常の躯体コンクリートに比して、圧縮強度は小さく、厚さは６５〜８０ｍｍ程度と薄く、強度が小さい。そのため、上記の手摺支柱固定金具を押えコンクリートに設置する際に、アンカーボルトを８０ｍｍ程度の深さに埋設すると、アンカーボルトが押えコンクリートを突き抜けて、防水層を破損してしまう恐れがある。また、アンカーボルトを６０ｍｍ程度に埋設して防水層を貫通しないようにすると、アンカーボルトに強大な引抜力が期待できず、アンカーボルトで固定される手摺支柱固定金具及び、この手摺支柱固定金具に取付けられる支柱の引抜強度が弱くなってしまう等の問題があり改善が望まれていた。
【０００６】
本発明は、上記課題を解決するために提案されたもので、屋上や建物のベランダの床部に敷設され、薄く強度が小さい押えコンクリートの躯体であっても、十分な耐力を有する手摺用支柱を提供することを目的とする。
【０００７】
【課題を解決するための手段】
上記課題を解決するために請求項１記載の発明は、笠木部材を躯体の所定高さに略水平に支持する支柱部材と、該支柱部材の途中から分岐して躯体に斜めに固定される控柱部材とを備え、支柱部材と控柱部材とがトラス構造を形成することを特徴とする手摺用支柱である。
【０００８】
また、請求項２記載の発明は、支柱部材は躯体に略垂直に固定された第１ジョイント部材と嵌合して嵌合方向に調整可能に固定され、控柱部材は上端が第２ジョイント部材と嵌合し下端が第３ジョイント部材と嵌合して該第３ジョイント部材が躯体に斜めに固定され第２ジョイント部材が前記支柱部材の途中に固定されることを特徴とする手摺用支柱である。
【０００９】
【発明の実施の形態】
次に、図面を参照して本発明の実施の形態を説明する。なお図面の同一部材には同一符号を付して重複説明は省略する。図１は第１実施例の手摺用支柱を示す概略図、図２（ａ）は図１に示した第１ジョイント部材の斜視図、図２（ｂ）は（ａ）のＡ−Ａ線での断面図、図３は図１に示したカバー部材の斜視図、図４（ａ）は図１に示した第２ジョイント部材の斜視図、図４（ｂ）は（ａ）のＢ−Ｂ線での断面図、図５（ａ）は図１に示した第３ジョイント部材の斜視図、図５（ｂ）は（ａ）のＣ−Ｃ線での断面図、図６は第１実施例の手摺用支柱を使用した手摺の施工例の背面図、図７は図６のＤ−Ｄ線での断面図、図８は図６のＥ−Ｅ線での断面図である。
【００１０】
図１乃至７において、第１ジョイント部材１はアンカーボルト２で躯体３に略垂直に固定されている。また、第１ジョイント部材１の下部の外周面には、この外周面を覆って一対のカバー部材４ａ，４ｂが一体に結合されて、第１ジョイント部材１の下部に装着されている。第１ジョイント部材１には、筒状の支柱部材５の下端が嵌合して嵌合方向（垂直）に調整可能に固定されている。
【００１１】
支柱部材５の上端には長い１本の笠木部材６が交差方向となるように水平に固定されており、また、支柱部材５の途中には、第２ジョイント部材７がボルト２ａで斜めに固定されて、支柱部材５の途中から分岐している。この第２ジョイント部材７には控柱部材８の上端８ａが嵌合している。そして、控柱部材８の下端８ｂは第３ジョイント部材９と嵌合している。この第３ジョイント部材９はアンカーボルト２で躯体３に斜めに固定されている。
【００１２】
第２ジョイント部材７、控柱部材８、第３ジョイント部材９は控柱１０を構成している。そして、笠木部材６を躯体３の所定高さに略水平に支持する支柱部材５と、支柱部材５の途中から分岐して躯体３に斜めに固定される控柱１０とはトラス構造を形成している。
【００１３】
第１ジョイント部材１は、図２（ａ）（ｂ）に示すように、中央に幅方向の仕切壁１ａが設けられて上空洞部１ｂと下空洞部１ｃに仕切られた断面が日の字の枠体であり、下空洞部１ｃの底面には孔１ｄが設けられている。躯体３には、アンカーボルト２が打ち込まれて設置されており、第１ジョイント部材１の底面の孔１ｄにアンカーボルト２を挿通させてナット２ｂで固定して、第１ジョイント部材１は躯体３に略垂直に固定される。
【００１４】
カバー部材４ａ，４ｂは図３に示すように、断面コの字に湾曲した半角筒形状で互いに対称な形状であり、それぞれのカバー部材４ａ，４ｂには抜け止め防止の爪４３、４３が設けられている。そして、第１ジョイント部材１の下部の外周面に装着するときには、カバー部材４ａ，４ｂは湾曲した内面を向い合せて一体に結合される。カバー部材４ａの一端の縁には孔４０ａが形成され、他端の縁には孔４１ａ，４２ａが形成されている。また、カバー部材４ｂの一端の縁には孔４０ｂが形成された舌片４０ｃが設けられ、他端の縁には孔４１ｂ，４２ｂがそれぞれ形成された舌片４１ｃ，４２ｃが設けられていて、孔４０ａと４０ｂ、孔４１ａと４１ｂ、孔４２ａと４２ｂを重ね合わせて、重ね合わせた各孔に図示しないビスを係合して、カバー部材４ａ，４ｂを結合する。結合状態では、カバー部材４ａ，４ｂに設けられた抜け止め防止の爪４３、４３は第１ジョイント部材１の下部を圧接して、結合状態のカバー部材４ａ，４ｂを第１ジョイント部材１の下部から上下にずれ難くする。
【００１５】
第２ジョイント部材７は、図４（ａ）（ｂ）に示すように、取付け部７１と、これと連続するジョイント部７２とから構成されている。取付け部７１の１つの面７１ａは先端が細くなるように斜めに形成され、面７１ａの裏側に位置する面７１ｂには面７１ａに略垂直に径の大きい穴７ａが形成されており、この穴７ａの底面には面７１ａに略垂直に貫通して穴７ａより径の小さい孔７ｂが形成されている。取付け部７１の面７１ａと連続するジョイント部７２の面には四角い開口７２ａを有する溝部７２ｂが形成されており、溝部７２ｂの底面には開口７２ａの裏面７２ｃに貫通して孔７ｃ，７ｄが形成されている。
【００１６】
第３ジョイント部材９は、図５（ａ）（ｂ）に示すように、取付け部９１と、これと連続するジョイント部９２とから構成されている。取付け部９１の１つの面９１ａは先端が細くなるように斜めに形成され、面９１ａの裏側に位置する面９１ｂには面９１ａに略垂直に溝（又は穴）９ａが形成されており、この溝９ａの底面には面９１ａに略垂直に貫通して溝９ａより径の小さい孔９ｂが形成されている。取付け部９１の面９１ｂの裏面９１ｃと連続するジョイント部９２の面には四角い開口９２ａを有する溝部９２ｂが形成されており、溝部９２ｂの底面には開口９２ａの裏面９２ｃに貫通して孔９ｃ，９ｄが形成されている。
【００１７】
次に、図６，図７を参照して第１実施例の手摺用支柱２０を使用した手摺の施工例について説明する。先ず、工場で笠木部材６、支柱部材５、下弦材６１、格子材６２を組立てて手摺ユニット６０を形成する。手摺ユニット６０の組立ては、先ず、各支柱部材５，５・・の上部に長い笠木部材６を配置してビスＰ，Ｐ・・をねじ込んで各支柱部材５，５・・の上部に笠木部材６を設置する。次に、各支柱部材５の下部側面にＬ金具６１ａを配置してビスＰ，Ｐをねじ込んでＬ金具６１ａを固定する。そして、隣接するＬ金具６１ａ，６１ａの間に下弦材６１を嵌合して外部からビスＰ，Ｐをねじ込んで下弦材６１をＬ金具６１ａに固定して、支柱部材５，５間に下弦材６１を設置する。その後、各支柱部材５の上部に設置した笠木部材６と各支柱部材５の下部に設置した下弦材６１の間の複数個所に格子材６２，６２・・をビスＰにより取付けて笠木部材６の下部に格子６３を設ける。
【００１８】
また、工場では控柱部材８を現場の使用に適した所定の長さに加工し、この控柱部材８の上端８ａに第２ジョイント部材７を嵌合するとともに下端８ｂに第３ジョイント部材９に嵌合して、外部からビスＰ，Ｐをねじ込んで控柱部材８の両端に、第２ジョイント部材７と第３ジョイント部材９を組み付けて控柱１０を形成する。
【００１９】
一方、現場においては、躯体３には、アンカーボルト２を打ち込み設置しておき、先ず、第１ジョイント部材１の底面の孔１ｄにアンカーボルト２を挿通させてナット２ｂで固定して、第１ジョイント部材１を躯体３に略垂直に固定する。
【００２０】
そして、工場で組立てた手摺ユニット６０の筒状の支柱部材５を第１ジョイント部材１に嵌合して、手摺ユニット６０の高さを調整して第１ジョイント部材１の上空洞部１ｂ（又は下空洞部１ｃ）と嵌合している位置に、外部からビスＰ，Ｐをねじ込んで第１ジョイント部材１に支柱部材５を固定して手摺ユニット６０を立設する。
【００２１】
そして、立設された手摺ユニット６０の支柱部材５の側面、及び躯体３に工場で組立てた控柱１０をあてがう。そして、第２ジョイント部材７の孔７ｂ、及び第３ジョイント部材９の孔９ｂを利用して、支柱部材５のボルト２ａを係止する位置、及びアンカーボルト２を設置する位置にケガキを印す。そのケガキに合わせて、支柱部材５の途中に（例えばドリルにより）貫通するようにボルト用孔５ａ，５ａ´を穿孔する。また、躯体３に控柱１０を固定するアンカーボルト用孔を穿孔し、アンカーボルト２を打ち込み設置する。
【００２２】
そして、第３ジョイント部材９の底面の溝９ａ及び孔９ｂに挿通させたアンカーボルト２をナット２ｂで固定して、第３ジョイント部材９を躯体３に固定する。また、第２ジョイント部材７の取付け部７１の穴７ａ（及び孔７ｂ）と支柱部材５の途中に形成したボルト用孔５ａ，５ａ´にボルト２ａを貫通してナット２ｂで固定して、第２ジョイント部材７を支柱部材５に固定して、支柱部材５の途中から控柱部材８が斜めに分岐するように固定して、支柱部材５と控柱１０がトラス構造となるように躯体３に設置する。
【００２３】
その後、第１ジョイント部材１の下部の外周面を覆って一対のカバー部材４ａ，４ｂを配置して、カバー部材４ａ，４ｂの各孔４０ａと４０ｂ、孔４１ａと４１ｂ、孔４２ａと４２ｂ等を重ね合わせてビスＰで係合し、カバー部材４ａ，４ｂを一体に結合して、第１ジョイント部材１の下部にカバー部材４ａ，４ｂを装着する。
【００２４】
このようにして、手摺用支柱２０を使用した手摺の施工がなされるが、躯体３と下弦材６１との間には、必要に応じて各支柱部材５の下部側面にＬ金具６１ａにビスＰ，Ｐをねじ込む等して、手摺ユニット６０に別の下弦材６１を追加して設置してもよい。
【００２５】
【発明の効果】
この発明に係る手摺用支柱は、以上説明したように笠木部材を躯体の所定高さに略水平に支持する支柱部材と、該支柱部材の途中から分岐して躯体に斜めに固定される控柱部材とを備え、支柱部材と控柱部材とがトラス構造を形成するようにしたので、荷重は、支柱と控柱に分割され、屋上や建物のベランダの床面に薄く、強度が小さい押えコンクリートの躯体であっても、十分な耐力のある手摺が設置でき、極めて優れた効果を奏する。
【図面の簡単な説明】
【図１】第１実施例の手摺用支柱を示す概略図である。
【図２】（ａ）は図１に示した第１ジョイント部材の斜視図である。
（ｂ）は図２（ａ）のＡ−Ａ線での断面図である。
【図３】図１に示したカバー部材の斜視図である。
【図４】（ａ）は図１に示した第２ジョイント部材の斜視図である。
（ｂ）は（ａ）のＢ−Ｂ線での断面図である。
【図５】（ａ）は図１に示した第３ジョイント部材の斜視図である。
（ｂ）は（ａ）のＣ−Ｃ線での断面図である。
【図６】第１実施例の手摺用支柱を使用した手摺の施工例の背面図である。
【図７】図６のＤ−Ｄ線での断面図である。
【図８】図６のＥ−Ｅ線での断面図である。
【図９】従来例に係る斜視図である。
【符号の説明】
１  第１ジョイント部材
１ａ  仕切壁
１ｂ  上空洞部
１ｃ  下空洞部
１ｄ，５ａ，５ａ´７ｂ，７ｃ，７ｄ，９ｂ，９ｃ，９ｄ，４０ａ，４０ｂ，４１ａ，４１ｂ，４２ａ，４２ｂ  孔
２  アンカーボルト
２ａ  ボルト
２ｂ  ナット
３  躯体
４ａ，４ｂ  カバー部材
５  支柱部材
６  手摺
７  第２ジョイント部材
７ａ  穴
８  控柱部材
８ａ  上端
８ｂ  下端
９  第３ジョイント部材
１０  控柱
２０  手摺用支柱
４３  爪
６０  手摺ユニット
６１  下弦材
６１ａ  Ｌ金具
６２  格子材
６３  格子
７１，９１  取付け部
７１ａ，７１ｂ，９１ａ，９１ｂ，９１ｃ  面
７２，９２  ジョイント部
７２ａ，９２ａ  開口
７２ｂ，９２ｂ  溝部
７２ｃ  開口７２ａの裏面
Ｐ  ビス
【図１】
2004225383.tif 000003
【図２】
2004225383.tif 000004
【図３】
2004225383.tif 000005
【図４】
2004225383.tif 000006
【図５】
2004225383.tif 000007
【図６】
2004225383.tif 000008
【図７】
2004225383.tif 000009
【図８】
2004225383.tif 000010
【図９】
2004225383.tif 000011